(57)【要約】【課題】フレキシブル基板が固定された部分の液晶セルがケーシング（枠体）から浮く事を防止し、液晶セルに過度の圧力が加わらない液晶表示装置を提供する。【解決手段】液晶セル２と、その背面側に配置された枠体４と、１端が前記液晶セル２の縁部に固定され、他端が前記１端の後方側に配置されたフレキシブル基板７と、前記液晶セル２の端部および前記フレキシブル基板７の側部を覆い、前記枠体４に固定されたフレーム３５とを備え、前記液晶セル２の背面側に突出する突出部３５ａが前記フレーム３５に設けられ、前記フレキシブル基板７は前記突出部３５ａに実質的に沿う形状に形成された。【選択図】図５
2007263999.tif 000002
【特許請求の範囲】
【請求項１】
液晶セルと、その背面側に配置された枠体と、１端が前記液晶セルの縁部に固定され、他
端が前記１端の後方側に配置されたフレキシブル基板と、前記液晶セルの端部および前記
フレキシブル基板の側部を覆い、前記枠体に固定されたフレームとを備え、前記液晶セル
の背面側に突出する突出部が前記フレームに設けられ、前記フレキシブル基板は前記突出
部に実質的に沿う形状に形成された事を特徴とする液晶表示装置。
【請求項２】
前記突出部は前記フレームとは別個に設けられ、または、前記突出部および前記フレーム
は一体的に形成された事を特徴とする請求項１の液晶表示装置。
【請求項３】
前記突出部は、前記液晶セルの縁部に対し平行に位置する様に、長尺に形成された事を特
徴とする請求項１の液晶表示装置。
【請求項４】
前記突出部は、前記液晶セルの端面と、前記フレキシブル基板の側部との間に設けられた
事を特徴とする請求項１の液晶表示装置。
【請求項５】
前記フレキシブル基板は、前記突出部の押圧により、実質的にＶ字状に形成された事を特
徴とする請求項１の液晶表示装置。
【請求項６】
前記枠体は複数の載置部を有し、前記フレキシブル基板が配置された側の前記載置部に第
１粘着材が配置され、光学シートの端近傍は前記第１粘着材上に固定され、前記光学シー
トの端近傍上に、スペーサを介して、前記液晶セルが配置された事を特徴とする請求項１
の液晶表示装置。
【請求項７】
前記スペーサの底面には、第２粘着材が形成され、前記第２粘着材を介して、前記光学シ
ートの端近傍と前記スペーサは固定されている事を特徴とする請求項６の液晶表示装置。
【発明の詳細な説明】
【技術分野】
【０００１】
本発明は液晶表示装置に関する。
【背景技術】
【０００２】
従来、この種の装置は例えば特許文献１に示されている。特許文献１において、ケーシ
ング２４の内部に形成された平坦部の上に接着材を介して、液晶セル２５が固定されてい
る（図２参照）。１端が液晶セル２５の縁部に固定されたフレキシブル基板３８は、途中
部分がケーシング２４の側面近傍に位置し、他端がケーシング２４の底部に固定されてい
る（図１、図２参照）。
【特許文献１】特開２００３−１２１８４０号公報
【発明の開示】
【発明が解決しようとする課題】
【０００３】
上記装置では、フレキシブル基板３８が固定された液晶セル２５の１辺側において、接
着材が外れて、浮き易い、第１の欠点がある。本発明者がその原因を究明したところ、フ
レキシブル基板３８の１端近傍は元の状態に戻ろうとする上向きの復元力が加わっている
。そのため、液晶セル２５の１辺側が浮き易い、事を究明した。
【０００４】
本発明者は、この欠点を解消するために、フレキシブル基板３８の１端および液晶セル
２５の端部を、下方向へ押さえるフレームを設けた。フレキシブル基板３８の１端を強く
押さえるためには、液晶セル２５の端部も強く押さざるを得ない。そのため、液晶セル２
５に応力が加わり、液晶セル２５内の液晶用のギャップが不均一となり、不正確な表示と
なる、第２の欠点がある。
【０００５】
そこで本発明は、この様な従来の欠点を考慮し、フレキシブル基板が固定された部分の
液晶セルがケーシング（枠体）から浮く事を防止し、液晶セルに過度の圧力が加わらない
液晶表示装置を提供する。
【課題を解決するための手段】
【０００６】
上記課題を解決するために、請求項１の本発明では、液晶セルと、その背面側に配置さ
れた枠体と、１端が前記液晶セルの縁部に固定され、他端が前記１端の後方側に配置され
たフレキシブル基板と、前記液晶セルの端部および前記フレキシブル基板の側部を覆い、
前記枠体に固定されたフレームとを備え、前記液晶セルの背面側に突出する突出部が前記
フレームに設けられ、前記フレキシブル基板は前記突出部に実質的に沿う形状に形成され
た。
【０００７】
請求項２の本発明では、前記突出部は前記フレームとは別個に設けられ、または、前記
突出部および前記フレームは一体的に形成された。
【０００８】
請求項３の本発明では、前記突出部は、前記液晶セルの縁部に対し平行に位置する様に
長尺に形成された。
【０００９】
請求項４の本発明では、前記突出部は、前記液晶セルの端面と、前記フレキシブル基板
の側部との間に設けられた。
【００１０】
請求項５の本発明では、前記フレキシブル基板は、前記突出部の押圧により、実質的に
Ｖ字状に形成された。
【００１１】
請求項６の本発明では、前記枠体は複数の載置部を有し、前記フレキシブル基板が配置
された側の前記載置部に第１粘着材が配置され、光学シートの端近傍は前記第１粘着材上
に固定され、前記光学シートの端近傍上に、スペーサを介して、前記液晶セルが配置され
た。
【００１２】
請求項７の本発明では、前記スペーサの底面には、第２粘着材が形成され、前記第２粘
着材を介して、前記光学シートの端近傍と前記スペーサは固定されている。
【発明の効果】
【００１３】
請求項１の様に、液晶セルの背面側に突出する突出部がフレームに設けられ、フレキシ
ブル基板は突出部に実質的に沿う形状に形成された。その結果、フレキシブル基板は、下
方に向かう力が加わるので、上向きの復元力は無くなる。故に、フレキシブル基板が固定
された部分の液晶セルが枠体から浮く事を防止できる。
【００１４】
請求項２の様に、突出部はフレームとは別個に設けられ、または、突出部およびフレー
ムは一体的に形成された。この構成により、突出部は、安いコストで製造できる。
【００１５】
請求項３の様に、突出部は、液晶セルの縁部に対し平行に位置する様に長尺に形成され
た。その結果、突出部は、フレキシブル基板の幅方向の全体に、突出するので、従来の様
に、上向きの復元力は生じない。
【００１６】
請求項４の様に、突出部は、液晶セルの端面と、フレキシブル基板の側部との間に設け
られた。突出部を、この位置に設けることにより、フレキシブル基板は、下方に向かう力
が確実に加わる。
【００１７】
請求項５の様に、フレキシブル基板は、突出部の押圧により、実質的にＶ字状に形成さ
れた。その結果、フレキシブル基板において、上向きの復元力は、より確実に生じない。
【００１８】
請求項６の様に、枠体は複数の載置部を有し、フレキシブル基板が配置された側の載置
部に第１粘着材が配置され、光学シートの端近傍は第１粘着材上に固定され、光学シート
の端近傍上に、スペーサを介して、液晶セルが配置された。その結果、スペーサが緩衝材
の役割を果たすので、液晶セルに過度の圧力が加わる事を防止できる。
【００１９】
請求項７の様に、スペーサの底面には、第２粘着材が形成され、第２粘着材を介して、
光学シートの端近傍とスペーサは固定されている。その結果、スペーサは確実に固定され
る。
【発明を実施するための最良の形態】
【００２０】
以下に、本発明を実施するための最良の形態を、実施例及び図面を用いて詳細に説明す
る。以下の実施例は、本発明の技術思想を具体化するための液晶表示装置の一例を例示す
るものである。本発明は、特許請求の範囲に示した技術思想を逸脱することなく、種々の
変更を行ったものにも、均しく適用し得る。
【実施例】
【００２１】
図１は、本発明の実施例に係る液晶表示装置１の分解斜視図である。図２は液晶表示装
置１（組み立て品）の正面図である。図３，４，５，６は各々、図２のＡ−Ａ断面図、Ｂ
−Ｂ断面図、Ｃ−Ｃ断面図、Ｄ−Ｄ断面図である。
【００２２】
これらの図において、液晶表示装置１は液晶セル２と、照明手段３と、これらの液晶セ
ル２および照明手段３を支持する枠体４等とを有している。
【００２３】
液晶セル２は、一対のガラス基板５，６を、これらの基板５，６の外周縁の近傍に沿っ
て塗布されたシール材（図示せず）により、一体に貼り合わせ、その内部に液晶を封入さ
れたものである。
【００２４】
更に、一方のガラス基板６上の複数の端子（図示せず）に、電気部品（図示せず）が実
装されたフレキシブル基板７が取り付けられている（図５参照）。
【００２５】
照明手段３は、液晶セル２の背面側（表示面と反対側のこと）に配置され、かつ、導光
板９と、反射板１０と、リフレクタ１１と、ホルダ１２，１２Ａと、光源１３，１４と、
補強板１５と、緩衝体１６等からなる（図３参照）。
【００２６】
導光板９は例えばアクリル樹脂からなり、平面から見れば、長方形である。導光板９は
断面して見れば、導光板９の側面９ａが厚く（図３参照）、導光板９の他の側面９ｂが薄
く（図４参照）なる様に、形成されている。導光板９は、楔状に形成されている。即ち、
導光板９の上面は水平に形成され、底面は傾斜して形成されている。
【００２７】
反射板１０は反射材料からなり、導光板９の底面に当接して配置されている。反射板１
０の左端は、導光板９の側面９ａよりも左側に少し、突出して配置されている（図３を参
照）。反射板１０の右端は、導光板９の他の側面９ｂよりも左側に少し、ずれた位置にあ
る（図４参照）。
【００２８】
リフレクタ１１は例えばアルミニュウム等からなり、断面して見れば、実質的に逆コ字
状に形成されている。リフレクタ１１は平面から見れば（図１参照）、細長い形状をして
いる。
【００２９】
リフレクタ１１は、上面１１ａと、側面１１ｂと、底面１１ｃを有している。リフレク
タ１１は左端近傍と、右端近傍の２ケ所において、切欠部１１ｄ，１１ｅが形成されてい
る（図１を参照）。切欠部１１ｄ，１１ｅは共に、上面１１ａの１部と、底面１１ｃの１
部を切り欠いた部分である。
【００３０】
ホルダ１２は例えばシリコンゴム等からなり、断面して見れば、光源１３，１４用の孔
が形成され、外形は長円部１２ａが形成されている（図３参照）。
【００３１】
ホルダ１２において、長円部１２ａにつながって出口部（図示せず）が形成されている
。出口部は、略角筒状に形成され、内部通路が、光源１３用の孔および光源１４用の孔と
つながっている。ホルダ１２内に、リード線１７，１８が配置されている。ホルダ１２Ａ
はホルダ１２に対し、面対称に形成されている（図１参照）。
【００３２】
この様に、一方の切欠部１１ｄは、ホルダ１２に近傍した位置にて形成されている。他
方の切欠部１１ｅは、ホルダ１２Ａに近傍した位置にて形成されている。
【００３３】
光源１３，１４は共に、冷陰極管等からなる線状光源である。光源１３の左端は、ホル
ダ１２の孔に挿入、固定されている。右端はホルダ１２Ａの孔に挿入、固定されている。
【００３４】
光源１４の左端は、ホルダ１２の孔に挿入、固定されている。右端は、ホルダ１２Ａの
孔に挿入、固定されている。
【００３５】
リード線１８の右端近傍は、被膜が外された導線が、半田等により、光源１３の左の電
極に接続されている。リード線１７の右端近傍は、被膜が外された導線が、半田等により
光源１４の左の電極に接続されている。
【００３６】
リード線１９の右端近傍は、被膜が外された導線が、半田等により、光源１３の右の電
極に接続されている。リード線２０の右端近傍は、被膜が外された導線が、半田等により
光源１４の右の電極に接続されている（図３参照）。
【００３７】
リード線１８の左端およびリード線１９の左端はコネクタ２２に接続されている。リー
ド線１７の左端およびリード線２０の左端はコネクタ２３に接続されている。
【００３８】
この様に、光源１３，１４が導光板９の側面９ａに対向すべく、リフレクタ１１は、ホ
ルダ１２，１２Ａに支持された光源１３，１４を覆い、かつ、導光板９および反射板１０
の各端部近傍を覆う様に、設けられている。
【００３９】
補強板１５，１５Ａは共に金属板からなり、断面して見れば、共に実質的にコ字状に形
成されている（図１、図３参照）。
【００４０】
補強板１５はホルダ１２を覆う様に、切欠部１１ｄ内に収納されている。補強板１５Ａ
はホルダ１２Ａを覆う様に、切欠部１１ｅ内に収納されている。
【００４１】
底板２４は例えば金属板等からなり、断面して見れば（図３参照）、実質的に逆Ｌ字状
に形成されている。底板２４は平面から見れば（図１参照）、細長い形状をしている。
【００４２】
底板２４は、上面２４ａと、側面２４ｂと、底面２４ｃを有している。底板２４の側面
２４ｂは、リフレクタ１１の側面１１ｂに当接して配置されている。
【００４３】
補強板１５は、底板２４に形成された側面２４ｂの内面と、切欠部１１ｄの内面との間
に各々、当接または近接（例えば、隙間が０．１〜０．３ｍｍ）して配置されている。
【００４４】
補強板１５Ａは、底板２４に形成された側面２４ｂの内面と、切欠部１１ｅの内面との
間に各々、当接または近接（例えば、隙間が０．１〜０．３ｍｍ）して配置されている。
【００４５】
緩衝体１６，１６Ａは例えば、ＰＥＴ樹脂の様に、比較的に硬質の弾性体からなり、裏
面に接着材が設けられている。緩衝体１６，１６Ａの幅（導光板９の側面９ａの長手方向
の長さ）は約４ｍｍである。
【００４６】
上述した様に、補強板１５は、導光板９の側面９ａと、ホルダ１２との間に配置されて
いる。補強板１５Ａは導光板９の側面９ａと、ホルダ１２Ａとの間に配置されている。
【００４７】
緩衝体１６は、補強板１５の側面に固定され、導光板９の側面９ａに当接、または近接
（例えば、隙間が０．１〜０．３ｍｍ）して配置されている。緩衝体１６Ａは、補強板１
５Ａの側面に固定され、導光板９の側面９ａに当接、または近接（例えば、隙間が０．１
〜０．３ｍｍ）して配置されている。
【００４８】
これらの導光板９と、反射板１０と、リフレクタ１１と、ホルダ１２，１２Ａと、光源
１３，１４と、補強板１５，１５Ａと、緩衝体１６，１６Ａと、リード線１７，１８，１
９，２０と、コネクタ２２，２３と、底板２４等により、照明手段３は構成されている。
【００４９】
枠体４は、リフレクタ１１を覆う突出領域２５が形成されている。リフレクタ１１の外
面と、突出領域２５の内面とに各々、接着された粘着材２６が設けられている（図３参照
）。
【００５０】
導光板９の上に、他の光学シート、例えば、プリズムシート２７が配置されている。他
の光学シート２７の上方に、光学シート、例えば、拡散シート２８が配置されている。リ
フレクタ１１の底面１１ｃの底面に、放熱板２９が配置されている（図３参照）。なお、
リフレクタ１１に形成された底面１１ｃの長さ（図３において左右方向に延びる長さ）は
約１０ｍｍである。
【００５１】
枠体４は例えばプラスチックからなり、額縁状に形成され、中央に開口部３０が形成さ
れている。枠体４の３辺において、上下方向に延びる側部３１ｂ（図４参照）と、側部３
１ｃ（図５参照）と、側部３１ｄ（図６参照）が形成されている。
【００５２】
枠体４の３辺において、各々、側部３１ｂ，３１ｃ，３１ｄにつながり、開口部３０の
周辺に位置する下載置部３２ｂ，３２ｃ，３２ｄが形成されている。
【００５３】
支持体３３は、断面が略クランク状に形成され（図４参照）、平面から見れば（図１を
参照）、細長い形状をしている。支持体３３の下部に形成された鉤部が、枠体４に形成さ
れた側部３１ｂの鉤部に係合されている（図４参照）。
【００５４】
枠体４の辺において、枠体４の上部に、載置部３４ａが形成されている（図３参照）。
支持体３３の上部に、載置部３４ｂが形成されている（図４参照）。枠体４の上部に、載
置部３４ｃが形成されている（図５を参照）。枠体４の上部に、載置部３４ｄが形成され
ている（図６を参照）。
【００５５】
フレーム３５は例えば金属板等からなり、中央に開口部３６が形成され、額縁状に形成
されている。
【００５６】
フレーム３５の上部は、枠体４の上面３７ａに当接し、フレーム３５の側部は、底板２
４の側面２４ｂに当接し、固定されている（図３参照）。
【００５７】
フレーム３５の上部は、枠体４の上面３７ｂに当接している（図４参照）。
【００５８】
フレーム３５を構成する上部３５ｂおよび側部３５ｃは、液晶セル２および枠体４など
を覆っている（図５を参照）。
【００５９】
フレーム３５の上部は、枠体４の上面３７ｄに当接し、フレーム３５の側部は、枠体４
の側面３７ｅに当接し、固定されている（図６参照）。
【００６０】
放熱板２９は例えばアルミニュウム等からなり、底部と、３つの折曲部とからなる。放
熱板２９は、枠体４に形成された下載置部３２ｂ，３２ｃ，３２ｄ上に配置されている（
図４、図５、図６を参照）。
【００６１】
反射板１０は、放熱板２９の底部上に配置されている。導光板９は、反射板１０上に配
置されている。この様にして、放熱板２９は開口部３０を介して、露出されている（図１
参照）。
【００６２】
導光板９において、光源１３，１４に対向する側面９ａと反対側に位置する、他の側面
９ｂ近傍の背面と、放熱板２９の表面とに各々接着された粘着材３８が設けられている（
図４参照）。
【００６３】
他の光学シート２７は、導光板９上に配置されている。他の光学シート２７の右端近傍
は、粘着材３９を介して、枠体４に形成された載置部３４ｄ上に固定されている。他のス
ペーサ４０は、粘着材４０ａを介して、他の光学シート２７の右端近傍の上に固定されて
いる（図６参照）。
【００６４】
光学シート２８は、他の光学シート２７上に配置されている。光学シート２８の左端近
傍は、第１粘着材４１を介して、枠体４に形成された載置部３４ｃ上に固定されている。
スペーサ４２は、第２粘着材４２ａを介して、光学シート２８の左端近傍の上に固定され
ている（図５参照）。
【００６５】
液晶セル２のＡ−Ａ側は、枠体４の載置部３４ａ上に載置され（図３参照）、液晶セル
２のＢ−Ｂ側は、支持体３３の載置部３４ｂ上に載置されている（図４参照）。
【００６６】
液晶セル２のＣ−Ｃ側は、スペーサ４２上に載置され（図５参照）、液晶セル２のＤ−
Ｄ側は、他のスペーサ４０上に載置されている（図６参照）。以上の部品により、液晶表
示装置１は構成されている。
【００６７】
以下に、図１ないし図６に従い、本液晶表示装置１の構成の特徴をまとめる。第１の特
徴として、液晶セル２と、その背面側に配置された枠体４と、１端が液晶セル２の縁部に
固定され、他端が前記１端の後方側に配置されたフレキシブル基板７が設けられている。
フレキシブル基板７の他端は例えば、枠体４に形成された底部４ａの底面に固定されてい
る。
【００６８】
液晶セル２の端部およびフレキシブル基板７の側部７ａを覆い、枠体４に固定されたフ
レーム３５が設けられている。液晶セル２の背面側に突出する突出部３５ａがフレーム３
５に設けられている。フレキシブル基板７は、突出部３５ａに実質的に沿う形状に形成さ
れている（図５参照）。
【００６９】
なお、フレキシブル基板７は、フレーム３５が取り付けられる前は、１端と、側部７ａ
とが、円弧状につながれて形成されたものでも良い。フレームを取り付けることにより、
フレキシブル基板７は、突出部３５ａに実質的に沿う形状に形成される。
【００７０】
または、フレーム３５が取り付けられる前に、フレキシブル基板７は、突出部３５ａに
実質的に沿う形状に形成されていても良い。
【００７１】
また、上記「液晶セル２の背面側に突出する突出部３５ａ」とは、フレーム３５に形成
された上部３５ｂに対し、下向きに突出部３５ａが突出している事を、示す。
【００７２】
第２の特徴として、突出部３５ａは、フレーム３５とは別個に設けられても良い。そし
て、突出部３５ａと、フレーム３５は例えば、カシメ加工や溶接などにより、固定されて
も良い。突出部３５ａおよびフレーム３５は一体的に形成されても良い。例えば、フレー
ム３５は、座押し加工などにより、下方に突出する突出部３５ａが設けられても良い。
【００７３】
第３の特徴として、突出部３５ａは、液晶セル２の縁部に対し平行に位置する様に、長
尺に形成されている。
【００７４】
第４の特徴として、突出部３５ａは、液晶セル２の端面２ａと、フレキシブル基板７の
側部７ａとの間に設けられている（図５参照）。
【００７５】
第５の特徴として、フレキシブル基板７は、突出部３５ａの押圧により、実質的にＶ字
状に形成されている（図５参照）。
【００７６】
第６の特徴として、枠体４は複数の載置部３４ｂ，３４ｃ，３４ｄを有している。フレ
キシブル基板７が配置された側の載置部３４ｃに第１粘着材４１が配置されている。光学
シート２８の端近傍は第１粘着材４１上に固定されている。光学シート２８の端近傍上に
スペーサ４２を介して、液晶セル２が配置されている（図５参照）。
【００７７】
第７の特徴として、スペーサ４２の底面には、第２粘着材４２ａが形成されている。第
２粘着材４２ａを介して、光学シート２８の端近傍とスペーサ４２は固定されている。
【図面の簡単な説明】
【００７８】
【図１】本発明の実施例に係る液晶表示装置１の分解斜視図である。
【図２】液晶表示装置１（組み立て品）の正面図である。
【図３】図２のＡ−Ａ断面図である。
【図４】図２のＢ−Ｂ断面図である。
【図５】図２のＣ−Ｃ断面図である。
【図６】図２のＤ−Ｄ断面図である。
【符号の説明】
【００７９】
２  液晶セル
４  枠体
７  フレキシブル基板
９  導光板
１０  反射板
１１  リフレクタ
１２  ホルダ
１３，１４  光源
３４ｂ，３４ｃ，３４ｄ  載置部
３５  フレーム
３５ａ  突出部
【図１】
2007263999.tif 000003
【図２】
2007263999.tif 000004
【図３】
2007263999.tif 000005
【図４】
2007263999.tif 000006
【図５】
2007263999.tif 000007
【図６】
2007263999.tif 000008